(57)【要約】【課題】  相互に立設されることによって制御基板を構成する複数の基板間の接続を確実にし、一方の基板に立設された他方の基板を前記一方の基板から着脱させる際に、作業者が前記他方の基板のＲＯＭをはじめとする電子部品が実装された面に触れて作業することなく、また、前記ＲＯＭの容量増大に伴う前記他方の基板の大型化にも対応できる遊技機を提供すること。【解決手段】  遊技機の遊技動作を制御する制御基板が第１の基板４０と第２の基板６０から構成され、第１の基板４０上に設けられた第１の接続部４１と第２の基板６０の一方の端部に設けられた第２の接続部６１とが接続された遊技機であって、第２の基板６０の上端部６０ａを第１の基板４０に向けて付勢する上端押さえ部７１と、第２の基板６０の側端部６０ｂを露出させて上端押さえ部７１から第１の基板４０に向けて延設された支柱部７２とを備えた基板押さえ部材７０を有する。【選択図】      図６
2006346340.tif 000002
【特許請求の範囲】
【請求項１】
遊技機の遊技動作を制御する制御基板を有し、前記制御基板は第１の基板と第２の基板から構成され、
前記第２の基板が前記第１の基板に対して立設されるように、前記第１の基板上に設けられた第１の接続部と前記第２の基板の一方の端部に設けられた第２の接続部とが接続された遊技機であって、
前記第２の基板における前記第２の接続部の反対側の他方の端部である上端部を前記第１の基板に向けて付勢する上端押さえ部と、
前記第１の基板に対して前記第２の基板を実装する方向と直交する方向の端部である側端部を露出させて前記上端押さえ部から前記第１の基板に向けて延設された支柱部とを備えた基板押さえ部材が前記第１の基板に設置されることによって前記第２の基板が挟持されることを特徴とする遊技機。
【請求項２】
前記第１の接続部及び前記第２の接続部の少なくとも何れかの形状は、前記第１の基板に接続された前記第２の基板が前記第１の基板の設置面上における面方向の動きを制限する形状であることを特徴とする請求項１に記載の遊技機。
【請求項３】
前記第２の基板の表面及び裏面を挟持する挟持片が前記上端押さえ部に形成されたことを特徴とする請求項１又は請求項２に記載の遊技機。
【請求項４】
前記第２の基板がその表裏面方向に複数設置されたことを特徴とする請求項１〜３の何れかに記載の遊技機。
【請求項５】
前記支柱部が、複数の前記第２の基板間に位置するように形成されたことを特徴とする請求項４に記載の遊技機。
【請求項６】
前記第２の基板がその表裏面方向に複数設置され、前記支持部が、複数の前記第２の基板間に位置し、複数の前記第２の基板の上端部を付勢する上端押さえ部を前記第２の基板間で連結するように形成したことを特徴とする請求項１〜３の何れかに記載の遊技機。
【発明の詳細な説明】
【技術分野】
【０００１】
本発明は、パチンコ機等の遊技機に関するものであり、特に、遊技動作を制御する遊技制御基板の構成に関するものである。
【背景技術】
【０００２】
従来より、遊技機の一種であるパチンコ機においては、遊技動作を制御する遊技制御基板（以下、制御基板とする）は、１枚の制御基板に遊技動作に関連する一切の制御機能を持たせているため、その制御基板は各種類の遊技機に固有のものとなり、遊技機の種類が異なれば、それに応じて制御基板も個々に製作する必要が生じ、製造コストがかかっていた。
【０００３】
この問題を解決するべく、遊技機の制御基板を、異なる種類の遊技動作に共通の共通基板と、その遊技動作に固有の固有制御基板とから構成し、これらを支持する支持基板に対して前記共有基板と前記固有制御基板とを起立状に設置し、異なる遊技機の機種ごとに前記固有制御基板のみを変更することが可能な構成の遊技機として、特許文献１に示す技術が提案されている。
【０００４】
【特許文献１】特開２００１−６２１２０号公報
【発明の開示】
【発明が解決しようとする課題】
【０００５】
上記特許文献１では、基板支持枠９７に多数のＲＯＭを搭載した制御基板３６〜３９を挿入し、カードエッジコネクタ９６の端子部１００と制御基板３６〜３９の接触片９８とを電気的に接続させ、支持基板９５の回路パターンを介して制御基板３６〜３９が相互に接続される構成となっている。
【０００６】
また、基板支持枠９７の上端側には制御基板３６〜３９を係脱自在に係止する係止具９９が設けられており、この係止具９９によって制御基板３６〜３９を係止させている。
【０００７】
しかしながら、制御基板３６〜３９を支持基板９５に対して不安定となる立設構造を採用しているため、遊技機を運搬する際や、遊技店での整備点検等の際に生じる振動によって、端子部と接触片とが非接触状態となり、結果として遊技動作に支障が出ることがある。これを防ぐために、基板支持枠９７及び係止具９９が各制御基板３６〜３９を囲繞するような構成を採用している。この場合、制御基板３６〜３９を確実に固定するための精度が基板支持枠９７及び係止具９９の構造に求められる。
【０００８】
特許文献１の図面（例えば図１３）を参照する限りでは、基板支持枠９７には、制御基板３６〜３９を保持するための溝が形成され、かつ係止具９９で制御基板３６〜３９の上端部の挙動を抑制しているように判断できるが、実装するＲＯＭが増加するなどの事情で制御基板３６〜３９の大型化が望まれた場合に、この基板支持枠９７をその制御基板３６〜３９に合わせて新たに設計しなければならず、結果的にコスト増加を引き起こすこととなる。特に、基板支持枠９７が各制御基板３６〜３９を囲繞するように保持しているため、各制御基板３６〜３９の長手方向（支持基板９５に対して各制御基板３６〜３９を実装する方向と直交する方向）の幅が拡がったときの対処ができず、拡張性に乏しい。
【０００９】
また、特許文献１では、制御基板３６〜３９を着脱する際に、着脱する作業者が各制御基板３６〜３９におけるＲＯＭの実装面を挟んで作業することになり、制御基板３６〜３９におけるＲＯＭの実装面に触れることは、精密部品の取り扱いとして不適当である。
【００１０】
なお、複数枚の制御基板を実装するよりも１枚の制御基板に高密度実装すべく、当該制御基板３６〜３９のそれぞれの表裏面にＲＯＭを実装する構成が考えられるが、悪意のある遊技者などにより当該ＲＯＭに不正をされる余地を与えかねないので、制御基板３６〜３９に実装されたＲＯＭを視認するにあたって、可能な限り死角を作らないよう制御基板３６〜３９の一方の面のみにＲＯＭを搭載する構成が求められているのが実状である。
【００１１】
本発明は、以上の問題点に鑑みてなされたものであって、その目的は、制御基板を構成し、相互に立設して接続される複数の基板が、振動によって接触不良を引き起こすことを防止するために、確実な接続構造を採用した遊技機を提供することにある。
【００１２】
また、本発明の他の目的は、複数の基板によって制御基板が構成され、一方の基板に立設された他方の基板を前記一方の基板から着脱させる際に、作業者が前記他方の基板のＲＯＭをはじめとする電子部品が実装された面に触れて作業することなく、また、前記ＲＯＭの容量増大に伴う前記他方の基板の大型化にも対応できる遊技機を提供することにある。
【課題を解決するための手段】
【００１３】
上記課題を解決するための、請求項１記載の発明に係る遊技機は、遊技機の遊技動作を制御する制御基板を有し、前記制御基板は第１の基板と第２の基板から構成され、前記第２の基板が前記第１の基板に対して立設されるように、前記第１の基板上に設けられた第１の接続部と前記第２の基板の一方の端部に設けられた第２の接続部とが接続された遊技機であって、前記第２の基板における前記第２の接続部の反対側の他方の端部である上端部を前記第１の基板に向けて付勢する上端押さえ部と、前記第１の基板に対して前記第２の基板を実装する方向と直交する方向の端部である側端部を露出させて前記上端押さえ部から前記第１の基板に向けて延設された支柱部とを備えた基板押さえ部材が前記第１の基板に設置されることによって前記第２の基板が挟持されることを特徴とする。
【００１４】
かかる構成とすることにより、第１の基板（特許文献１の支持基板に相当）に立設される第２の基板（特許文献１の制御基板に相当）の上端部を保持する基板押さえ部材を第１の基板上に設けたので、振動によって引き起こされる、第１の基板と第２の基板との間の接触不良を確実かつ簡単な構成で防ぐことができる。
【００１５】
また、基板押さえ部材を構成する支柱部が第２の基板の側端部を露出させることにより、第１の基板に第２の基板を着脱させる際に、作業者は前記側端部を把持して前記第２の基板の脱着作業ができ、第２の基板のＲＯＭをはじめとする電子部品が実装された面に触れて作業することなく、それによって引き起こされる遊技機の誤動作を未然に防ぐことができる。
【００１６】
同様に、基板押さえ部材が第２の基板の前記側端部を保持しないので、第２の基板に実装されたＲＯＭの容量増大に伴う第２の基板の大型化（特に前記側端部方向の幅の拡張化）にも対応することができる。
【００１７】
上記課題を解決するための、請求項２記載の発明に係る遊技機は、請求項１に記載の遊技機において、前記第１の接続部及び前記第２の接続部の少なくとも何れかの形状は、前記第１の基板に接続された前記第２の基板が前記第１の基板の設置面上における面方向の動きを制限する形状であることを特徴とする。
【００１８】
上記課題を解決するための、請求項３記載の発明に係る遊技機は、請求項１又は請求項２に記載の遊技機において、前記第２の基板の表面及び裏面を挟持する挟持片が前記上端押さえ部に形成されたことを特徴とする。
【００１９】
かかる構成とすることにより、前記第２の基板の表裏面（ＲＯＭをはじめとする電子部品が実装される面）方向の振動を前記挟持片が抑制し、前記第１の基板と前記第２の基板との接触不良を確実に防ぐことができる。
【００２０】
上記課題を解決するための、請求項４記載の発明に係る遊技機は、請求項１〜３の何れかに記載の遊技機において、前記第２の基板がその表裏面方向に複数設置されたことを特徴とする。
【００２１】
上記課題を解決するための、請求項５記載の発明に係る遊技機は、請求項４に記載の遊技機において、前記支柱部が、複数の前記第２の基板間に位置するように形成されたことを特徴とする。
【００２２】
かかる構成とすることにより、前記第２の基板間に前記支持部が位置するように形成したので、前記第１の基板のスペースを有効に利用することができる。さらに、前記第２の基板間に前記支柱部を形成したので、複数の前記第２の基板が近接することがない。よって、複数の前記第２の基板間には、それらに実装されたＲＯＭをはじめとする電子部品から発せられる熱を放出するための放熱スペースの確保を図ることができる。
【００２３】
上記課題を解決するための、請求項６記載の発明に係る遊技機は、請求項１〜３の何れかに記載の遊技機において、前記第２の基板がその表裏面方向に複数設置され、前記支持部が、複数の前記第２の基板間に位置し、複数の前記第２の基板の上端部を付勢する上端押さえ部を前記第２の基板間で連結するように形成したことを特徴とする。
【００２４】
かかる構成とすることにより、前記支柱部が、複数の前記第２の基板の上端部を付勢する上端押さえ部を前記第２の基板間で連結するように形成されるので、部品点数が少なく、基板押さえ部材の設置スペースを小さくできる。
【発明の効果】
【００２５】
以上説明したように、本発明によれば、第１の基板に立設される第２の基板の上端部を保持する基板押さえ部材を第１の基板上に設けたので、振動によって引き起こされる、第１の基板と第２の基板との間の接触不良を確実かつ簡単な構成で回避することができる。
【００２６】
また、本発明によれば、基板押さえ部材を構成する支柱部が第２の基板の側端部を露出させることにより、第１の基板に第２の基板を着脱させる際に、作業者は前記側端部を把持して前記第２の基板の脱着作業ができ、第２の基板のＲＯＭをはじめとする電子部品が実装された面に触れて作業することなく、それによって引き起こされる遊技機の誤動作を未然に防ぐことができる。
【００２７】
同様に、基板押さえ部材が第２の基板の前記側端部を保持しないので、前記ＲＯＭの容量増大に伴う第２の基板の大型化（特に前記側端部方向の幅の拡張化）にも対応することができる。
【発明を実施するための最良の形態】
【００２８】
次に、本発明に係る遊技機につき、好適な実施形態を挙げて、図面を参照しながら、以下詳細に説明する。なお、本実施形態では、遊技機として、パチンコ球を遊技媒体として使用する一般的なパチンコ機を例にして説明する。
【００２９】
図１は、本実施形態における遊技機の構成を示す正面図である。図１に示すように、遊技機１０において機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組付け整合されている。さらに、前記中枠１２の下部には下球皿１６、打球発射装置１７等が装着されている。
【００３０】
また、遊技盤１３の盤面には、略円形状に湾曲形成したレールにより囲まれた遊技領域の前面において、その遊技領域に打ち出された遊技球（図示せず）を案内する多数の遊技釘が配設されており、前記遊技領域の縦央やや下部には、遊技球をスイッチ（図示せず）で検出し得る始動入賞装置２２と、始動入賞装置２２の直下方に配置された大型電動式の可変入賞装置２３等が備えられている。
【００３１】
図柄表示装置２１は、図柄を変動させて図柄組合せゲームを表示する液晶画面、具体的には、複数列（例えば３列）の図柄を各列毎に表示する液晶画面を有している。また、可変入賞装置２３の下方には、アウト口２４が設けられており、遊技領域を流下しアウト球として、遊技機の裏側へ排出される遊技球が通過するようになっている。
【００３２】
なお、本実施形態における図柄組合せゲームでは、図柄表示装置２１の表示領域（前面側）に表示される、例えば３列の図柄が、同一図柄となる図柄組合せ態様で確定停止した状態が大当り状態とされる。なお、前記確定停止とは、前記表示領域において、各図柄が完全に停止した状態を示す。そしてこのとき、多数の遊技球を獲得できるチャンスが遊技者に付与される。また、前記表示領域に表示される図柄が３列で表示される場合、そのうち特定の２列の図柄が同一図柄となって表示された状態がリーチ状態とされる。また、例えば、全て異なる図柄となったりして、各図柄が同一図柄とならずに確定停止した状態がはずれ状態とされる。前記大当り状態が特別遊技状態に相当する。
【００３３】
そして、打球発射装置１７の操作により遊技盤１３の遊技領域に打ち出された遊技球を始動入賞装置２２内に配設された前記スイッチが検出するか、若しくは、始動保留球数の記憶値が１〜４である場合、図柄表示装置２１で前記図柄組合せゲームが行われるようになっている。
【００３４】
また、可変入賞装置２３は、特別入賞具に設けられた扉状の開閉板が、後側の電磁ソレノイド（図示せず）に係る設定駆動条件に基づいて、通常の閉鎖状態から開放状態に変化し得るよう構成されて、前記図柄変動ゲームの結果、特別遊技が発生すると前記大当り状態として前記開閉板が開放して多数の遊技球を得る機会が付与されるようになっている。
【００３５】
図２及び図３は、本実施形態における遊技機の裏側の構成を示す背面図である。図２及び図３に示すように、遊技機１０の裏側は、遊技機に配設される各種制御ユニットが、図示しない各種制御基板を透明樹脂製の保護ケース内にそれぞれ収容されてなり、保護ケースの外部から各種制御基板をそれぞれ視認し得るようになっている。
【００３６】
具体的には、メイン基板（図示せず）が透明樹脂製の保護ケース内に収容されてなるメイン基板ユニット３２と、図柄表示装置２１及び図柄表示基板ユニット１００（図４参照）が透明樹脂製の保護ケース３１１０（図４参照）内に収容されてなる表示ユニット３１１を保護するリアパック（上）３１ａと、ランプ制御基板（図示せず）を保護し、遊技機１０の裏面側にサブ統括基板が設置されたリアパック（下）３１ｂとが、遊技機１０の裏面側に上下に列設されている。
【００３７】
なお、メイン基板ユニット３２に収容される前記メイン基板は、遊技機で行う遊技内容を特定するものであって、遊技盤１３（図１参照）等を交換して遊技機の遊技内容を変更する所謂機種変更時には交換を要する専用基板である。また、以下の説明において、上・下及び左・右とは、特に断りのない限り、図２及び図３に示すように遊技機１０の裏側から見た状態において指称するものとする。
【００３８】
図４は、本実施形態の表示ユニットの構成を示す図であり、遊技機１０の裏側から見た表示ユニット３１１の透過正面図である。図４に示すように、表示ユニット３１１は、透明樹脂製の保護ケース３１１０内に図柄表示装置２１及び表示制御基板ユニット１００並びにそれらの間の配線が収納されてなり、保護ケース３１１０は、収納対象となる図柄表示装置２１及び表示制御基板ユニット１００並びにそれらの間の配線を保護するための収納筐体として機能する。
【００３９】
ここで、本実施形態では制御対象を図柄表示装置２１の画像表示に特定して説明しているため、表示制御基板ユニット１００が本発明にいう「制御基板」に該当する。従って、本発明にいう「制御基板」は第１の基板４０と第２の基板６０から構成され、２枚の第２の基板６０は、第１の基板４０に対して立設・固定されている。また、第１の基板４０の下面（第２の基板６０が立設された面を上面とした場合）は、図柄表示装置２１の背面（図柄が表示される面を正面とした場合）に対向するように、例えばシャーシなどのベース部材５０を介して設置されている。また、第１の基板４０上には、サブ統括制御基板（図２参照）に接続するためのコネクタ３１１２が設置されている。
【００４０】
なお、表示ユニット３１１の外形を形成している保護ケース３１１０の形状は、従来のように方形状ではなく、当該表示ユニット３１１の周囲で引き回される配線などを収納するスペースとして、遊技機１０の裏側に溝部３１１１（図４参照）が形成された形状となっていることが好ましい。
【００４１】
次に、このように設置された表示制御基板ユニット１００の構成について説明する。図５は、本実施形態における表示制御基板ユニットの設置態様を示す斜視図である。なお、以下の本実施形態における表示制御基板ユニットの説明において、上・下及び左・右とは、第１の基板４０に対して第２の基板６０が立設された方向を「上」方向、その反対方向を「下」方向とし、第１の基板４０上における第２の基板６０とコネクタ３１１２との設置位置（図４参照）において、第２の基板６０が設置された方向を「前」方向、コネクタ３１１２が設置された方向を「後」方向、前記「前」方向から見た状態において「左・右」方向と指称するものとする。
【００４２】
図５に示すように、図柄表示装置２１の背面側に表示制御基板ユニット１００を設置するためのベース部材５０上には、当該ベース部材５０を介して図柄表示装置２１の背面に下面（下方の面）が対向するように第１の基板４０が設置されている。
【００４３】
第１の基板４０の上面（上方の面）には、２枚の第２の基板６０が所定の間隔で立設されている。そして、これら２枚の第２の基板６０を第１の基板４０に対して確実に固定するための基板押さえ部材７０が設置されている。
【００４４】
基板押さえ部材７０は、各第２の基板６０の上端部に対して付勢する上端押さえ部７１と、この上端押さえ部７１から第１の基板４０の上面方向に延設され、第１の基板４０の上面上に固定された支柱部７２とから構成される。
【００４５】
次に、表示制御基板ユニット１００の構成について詳細に説明する。図６は、本実施形態における表示制御基板ユニットの構成を詳細に示す分解斜視図である。図６に示すように、表示制御基板ユニット１００は、ベース部材５０と、第１の基板４０と、第２の基板６０と、基板押さえ部材７０とから構成されるが、第１の基板４０の上面（第２の基板６０が立設される上方の面）には、第２の基板６０との電気的導通（信号の授受）を実現するためのコネクタとして第１の接続部４１が立設される第２の基板６０の数に応じて設置されている。
【００４６】
一方、第２の基板６０の下端部には、第１の基板４０との電気的導通（信号の授受）を実現するためのコネクタとして第２の接続部６１が設置されている。ここで、第１の接続部４１及び第２の接続部６１の少なくとも何れかの形状は、第１の基板４０に接続された第２の基板６０が、第１の基板４０の上面上における面方向の動き（図中、前後左右の動き）を制限する形状である。すなわち、第１の接続部４１及び第２の接続部６１の何れかの形状は、電気的導通部分（例えば端子）のみの嵌合によってそれらが接続される態様ではなく、それぞれの電気的導通部分の周囲に、第１の基板４０と第２の基板６０とを固着させるための嵌合構造が採用されている。
【００４７】
図７（ａ）は、本実施形態における第１の接続部及び第２の接続部の構造を示した斜視図であり、図７（ｂ）は、第１の接続部の構造を上面から見た図である。例えば、図７（ａ）に示すように、第１の接続部４１は、第１の基板４０の上面に形成された本体部４１１と、その本体部４１１の左右両側に設置された２つの制限部４１２ａ，４１２ｂとから構成されている。そして、本体部４１１の外形は、上面視で台形形状となっており、本体部４１１の上方に開口するように形成された凹部４１１１内には、端子４１１２が設けられている。
【００４８】
一方、第２の基板６０の下端部６０ｃに設けられた第２の接続部６１は、第２の基板６０上に搭載されたＲＯＭ（図示せず）から引き出され、下端部６０ｃ方向に突出した端子６１１とその周囲を第１の接続部４１に嵌合するように形成された枠部６１２とから構成される。枠部６１２の内側の形状は、本体部４１１の外形と嵌合するように同様の台形形状に形成されている。
【００４９】
また、本体部４１１の左側には、コの字形状の制限部４１２ａが設置されており、その設置態様は、制限部４１２ａのコの字形状が本体部４１１の左側を囲むようになっている。そして、図７（ｂ）に示すように、本体部４１１と制限部４１２ａとの空間（ハッチングで表示）の形状と枠部６１２の左端部の外形形状とが合うように設計されている。
【００５０】
このように制限部４１２ａが設置されたことにより、第２の基板６０の左方向及び前後方向への動きをより確実に制限することができる。特に、制限部４１２ａを設けた位置は、表示ユニット３１１（図４参照）を遊技機に設置した際に鉛直方向側となる位置であるため、第２の基板６０の自重によって動いてしまう場合の制限になる。
【００５１】
さらに、図７（ａ）に示すように、本体部４１１の右側にも、コの字形状の制限部４１２ａを、制限部４１２ａのコの字形状が本体部４１１の右側を囲むように設置すると好適である。そして、制限部４１２ｂと同様に、本体部４１１と制限部４１２ａとの空間の形状と枠部６１２の右端部の外形形状とが合うように設計されている。
【００５２】
このように、制限部４１２ａに加えて制限部４１２ｂも設置することにより、表示ユニット３１１（図４参照）を遊技機から取り外して、第１の基板４０を水平とした状態で扱う場合であっても、左右方向及び前後方向の何れの方向にも第２の基板６０の動きをより確実に制限することができる。
【００５３】
ここで、本請求項２に記載の「前記第１の接続部及び前記第２の接続部の少なくとも何れかの形状は、前記第１の基板に接続された前記第２の基板が前記第１の基板の設置面上における面方向の動きを制限する形状」とは、例えば本実施形態で説明した第１の接続部４１を構成する本体部４１１及び制限部４１２ａ，４１２ｂの形状や、第２の接続部６１の構成を第１の接続部の外形に合わせた枠部６１２の形状を指すものである。また、変形例として、本体部４１１に形成された凹部４１１１の形状が、その凹部４１１１の周囲を本体部４１１の上面が囲むように形成されることで、凹部４１１１に挿入された端子６１１の左右の動きが制限されるようになっているだけでもよい。
【００５４】
なお、制限部４１２は、制限部４１２ａ及び制限部４１２ｂのように分割された形状ではなく、本体部４１１を囲繞するような形状でもよい。すなわち、互いに向き合ったコの字形状の制限部４１２ａと制限部４１２ｂとを連結させることによって、本体部４１１を囲繞させた一体の制限部４１２を形成してもよい。
【００５５】
図７（ａ），（ｂ）に示すような構造をなす第１の接続部４１及び第２の接続部６１を互いに嵌合させるによって、第２の基板６０は第１の基板４０の上面上に立設させることは可能である。本実施形態では、この設置態様に加えて、第２の基板６０の上端部６０ａを第１の基板４０の上面に向かって付勢する基板押さえ部材７０を表示制御基板ユニット１００の構成に加えた。
【００５６】
基板押さえ部材７０は、第２の基板６０の上端部６０ａに当接し、第１の基板４０の上面に向かって付勢するための平板形状をなす上端押さえ部７１と、この上端押さえ部７１の端部（図では左右端部）から第２の基板６０，６０の間で第１の基板４０の上面に向かって延設した形状をなす支柱部７２とからなる。ここで、上端押さえ部７１の下面（第１の基板４０の上面に対向する面）には、当接する第２の基板６０の上端部６０ａを確実に付勢するために挟持する挟持片７３，７３が１枚の第２の基板６０の表裏面を挟むようにして設置されている。
【００５７】
また、支柱部７２は、その下端にネジ孔７４を設けた固定片７２１が上端押さえ部７１と平行となるように延設されている。したがって、上端押さえ部７１の両端の支柱部７２は、それぞれ、前面視で略Ｌ字形状に形成されている。そして、固定片７２１にはネジ孔７４が形成されている。
【００５８】
第１の基板４０に第２の基板６０，６０を立設し、これら第２の基板６０，６０を上端部６０ｃ，６０ｃにて上端押さえ部７１が付勢する基板押さえ部材７０を設置した際に、支柱部７２に形成されたネジ孔７４，７４に適応する第１の基板４０上にネジ孔４２が形成されている。
【００５９】
したがって、基板押さえ部材７０を第１の基板４０にネジ止めする際には、支柱部７２に形成されたネジ孔７４と第１の基板４０上のネジ孔４２とをネジによって固定することで、第１の基板４０に立設された第２の基板６０の上端部６０ａに上端押さえ部７１が当接し、第１の基板４０の上面部に向かって付勢することになる。
【００６０】
なお、第１の基板４０の上面上における第２の基板６０及び基板押さえ部材７０の設置スペースを小さくするために、第１の基板４０上のネジ孔４２の形成位置（第１の基板４０に対する支柱部７２の当設面の設置位置）は、第２の基板６０の両側端部より内方に設定されることが好ましい。従って、この第１の基板４０上のネジ孔４２の形成位置に合わせて、支柱部７２の形状や上端押さえ部７１の大きさなどを適宜変更してもよい。
【００６１】
また、上端押さえ部７１の左右端部からそれぞれ延設された支柱部７２の両端部におけるネジ孔７４、７４の近傍には、第１の基板４０に向けて突出する突起部７５を形成してもよい。この突起部７５の形成に伴い、当該突起部７５の形状に合わせた凹部（図示せず）を、突起部７５が第１の基板において当接する位置に形成することで、第１の基板４０に対する基板押さえ部材７０の位置決めを容易にすることができる。
【００６２】
また、第２の基板６０の両側端部６０ｂには、第１の基板４０に対して第２の基板６０の脱着作業をする際に、作業者が把持するための切り欠き部６２が形成されている。このような切り欠き部６２が形成されることで、作業者は切り欠き部６２に指を引っかけた状態で第２の基板６０を把持して当該基板の脱着作業を容易に行うことができ、第２の基板６０に搭載されるＲＯＭをはじめとする電子部品が実装された面に触れて作業することなく、それによって引き起こされる遊技機の誤動作を未然に防ぐことができる。
【００６３】
ここで、基板押さえ部材７０の構造について説明する。図８は、本実施形態における基板押さえ部材の構造を示す図であり、図８（ａ）は前面図、図８（ｂ）は下面図である。図８（ａ）に示すように、基板押さえ部材７０は、透明樹脂製で、平板形状の上端押さえ部７１と、その両端部に角度（本実施形態では略９０°）をつけて互いに対向するように接続された平板形状の支柱部７２，７２からなり、全体として略「コ」の字形状をなしている。なお、基板押さえ部材７０を透明樹脂で作製しない場合でも、第２の基板６０に実装された電子部品（ＲＯＭ）を上方から視認可能な開口窓（図示せず）を上端押さえ部７１に形成してもよい。
【００６４】
図８（ｂ）に示すように、上端押さえ部７１の下面（図８（ａ）においては支柱部７２，７２が接続された方向の面）には、第２の基板６０の上端部６０ａを挟持する挟持片７３が対をなして設置されている。なお、挟持片７３の設置位置は、支柱部７２よりも外方向、すなわち、挟持片７３，７３によって挟持される第２の基板６０，６０の間に支柱部７２が位置するように設定されることが好ましい。
【００６５】
このように、第２の基板６０，６０間に支柱部７２が位置するように挟持片７３の位置を設定することにより、本実施形態における表示制御基板ユニットの構成を示す側面図である図９のように、複数の第２の基板６０が近接することがない。よって、複数の第２の基板６０，６０間には、それらに実装されたＲＯＭ６３をはじめとする電子部品から発せられる熱を放出するための放熱スペースの確保を図ることができ、遊技機の誤動作を未然に防ぐことができる。
【００６６】
次に、このような構成をなす表示制御基板ユニット１００の組み立て手順について図１０（ａ）〜（ｃ）を参照して説明する。図１０（ａ）に示すように、まず、第１の接続部４１が２つ形成された第１の基板４０を、図柄表示装置２１の背面側に表示制御基板ユニット１００を設置するためのベース部材５０上にネジ（図示せず）等で固設する。そして、作業者は、第１の基板４０に対して立設する２枚の第２の基板６０の切り欠き部６２を把持して、各第２の基板６０の第２の接続部６１と、第１の基板４０上の各第１の接続部４１とを対向させ、図１０（ｂ）に示すように、第１の接続部４１に第２の接続部６１をそれぞれ嵌合させることによって、２枚の第２の基板６０は第１の基板４０に立設され、第１の基板４０と各第２の基板６０との電気的接続状態がなされる。次に、第１の基板４０と共に第２の基板６０を挟んで固定する基板押さえ部材７０を設置するにあたって、基板押さえ部材７０に形成された１対の挟持片７３に第２の基板６０の上端部６０ａの少なくとも一部が挟持されるように、かつ、支柱部７２に形成されたネジ孔７４（図６参照）と第１の基板４０上のネジ孔４２とが合うように位置あわせをする。このとき、基板押さえ部材７０に突起部７５が形成されていれば、突出部７５と前記凹部（図示せず）を嵌合させることで、支柱部７２に形成されたネジ孔７４と第１の基板４０上のネジ孔４２との位置決めが容易となる。最後に、図１０（ｃ）に示すように、支柱部７２に形成されたネジ孔７４（図６参照）と第１の基板４０上のネジ孔４２とを通してネジにて固定し、第２の基板６０を挟んで、第１の基板４０と基板押さえ部材７０とが固着される。
【００６７】
以上、本発明に係る遊技機の一実施形態について説明したが、本実施形態の基板押さえ部材７０の構造は、第２の基板６０がその表裏面方向に複数設置され、それら第２の基板６０に挟まれるように支柱部７２を形成する構造に限定されず、例えば、上端押さえ部７１から第２の基板６０の設置方向に支柱部７２を延設してもよい。すなわち、上記実施形態では上端押さえ部７１の左右端部から延設された支柱部７２を、上端押さえ部７１の前後端部から延設する形態となる。
【００６８】
また、本実施形態の支柱部７２の構造は、前後方向に複数設置された第２の基板６０，６０に挟まれるように形成されるが、上端押さえ部７１の左右端部から延設される、いわゆるブリッジ様構造に限定されず、上端押さえ部７１の下面の略中央部から第１の基板４０の上面に対して延設される、いわゆる前面視「Ｔ」字型をなしてもよい。
【００６９】
また、第１の基板４０の上面に立設される第２の基板６０は１枚でもよい。この場合では、上記実施形態に開示した基板押さえ部材７０の形状のように、２対の挟持片７３，７３が支柱部７２を挟むような形状ではなく、上端押さえ部７１の前端部又は後端部に１対の挟持片７３，７３が形成された形状となる。
【００７０】
また、本実施形態の第１の基板４０及び第２の基板６０は、図柄表示部２１に設置される表示制御基板ユニット１００の構成要素として説明したが、これに限定されず、複数枚の基板から構成される制御基板であって、一の基板に対して他の基板を立設させるように構成された制御基板であれば、何れの制御基板ユニットにも転用することができる。例えば、遊技機の制御基板を、異なる種類の遊技動作に共通の共通基板と、その遊技動作に固有の固有制御基板とから構成し、これらを支持する支持基板に対して前記共有基板と前記固有制御基板とを起立状に設置し、異なる遊技機の機種ごとに前記固有制御基板のみを変更するニーズが生じる制御基板ユニットに転用することが可能である。
【００７１】
次に、上記実施形態から把握できる技術的思想について以下に追記する。
【００７２】
（イ）  前記支柱部が前記第２の基板を跨ぐように形成されたことを特徴とする請求項１〜５の何れかに記載の遊技機。
【００７３】
（ロ）  前記第１の基板に対する前記支柱部の設置位置が、前記第２の基板の両側端部より内方に設定されたことを特徴とする請求項１〜５の何れかに記載の遊技機。
【００７４】
（ハ）  前記第２の基板の側端部の少なくとも何れか一方には、当該第２の基板を前記第１の基板から脱着するときに作業者が把持するための切り欠き部が形成されたことを特徴とする請求項１〜５の何れかに記載の遊技機。
【００７５】
（ニ）  複数の第２の基板に実装された電子部品を上方から視認可能なように、複数の第２の基板間を離間させ、上端押さえ部を透明な部材で形成するか、又は上端押さえ部に開口窓を形成したことを特徴とする請求項４〜６の何れかに記載の遊技機。
【図面の簡単な説明】
【００７６】
【図１】本発明に係る遊技機の一実施形態における構成を示す正面図。
【図２】本発明に係る遊技機の一実施形態における構成を示す背面図。
【図３】本発明に係る遊技機の一実施形態における構成を示す背面図。
【図４】本発明に係る遊技機の一実施形態における表示ユニットの構成を示す図。
【図５】本発明に係る遊技機の一実施形態における表示ユニットの内部構成を示す斜視図。
【図６】本発明に係る遊技機の一実施形態における基板の設置状態を示す分解斜視図。
【図７】本発明に係る遊技機の一実施形態における第１の接続部及び第２の接続部の構造を示す斜視図。
【図８】本発明に係る遊技機の一実施形態における基板押さえ部材の構成を示す図。
【図９】本発明に係る遊技機の一実施形態における表示制御基板ユニットの構成を示す側面図。
【図１０】本発明に係る遊技機の一実施形態において表示制御基板ユニットの組み立て手順を示す斜視図。
【符号の説明】
【００７７】
１０  遊技機
１１  外枠
１２  中枠
１３  遊技盤
１４  前枠
１５  上球皿
１６  下球皿
１７  打球発射装置
２１  図柄表示装置
２２  始動入賞装置（始動入賞口）
２３  可変入賞装置（大入賞口）
２４  アウト口
３１ａ  リアパック（上）
３１ｂ  リアパック（下）
３１１  表示ユニット
３１１０  保護ケース
３１１２  コネクタ
３２  メイン基板ユニット
４０  第１の基板
４１  第１の接続部
４１１  本体部
４１１１  凹部
４１１２  端子
４１２  制限部
４２  ネジ孔
５０  ベース部材
６０  第２の基板
６１  第２の接続部
６１１  端子
６１２  枠部
６２  切り欠き部
６３  ＲＯＭ
７０  基板押さえ部材
７１  上端押さえ部
７２  支柱部
７２１  固定片
７３  挟持片
７４  ネジ孔
７５  突起部
１００  表示制御基板ユニット
【図１】
2006346340.tif 000003
【図２】
2006346340.tif 000004
【図３】
2006346340.tif 000005
【図４】
2006346340.tif 000006
【図５】
2006346340.tif 000007
【図６】
2006346340.tif 000008
【図７】
2006346340.tif 000009
【図８】
2006346340.tif 000010
【図９】
2006346340.tif 000011
【図１０】
2006346340.tif 000012